(57)【要約】【課題】装置内での干渉を回避しつつ、ガイドシャフトの抜けを防止し、ディスクトレイの開口部を狭くした光ディスク装置を提供することである。【解決手段】光ピックアップユニットと、該光ピックアップユニットを光ディスクの径方向に移動可能に支持するガイドシャフト３１、３１とを搭載したトラバースシャーシと、トラバースシャーシを昇降可能に支持するレバーアームと、レバーアームとカム係合し、レバーアームの移動方向と略直交する方向に移動してレバーアームを上下動させるカムスライダーと、小径光ディスク収容凹部２２ｂと、光ピックアップユニットを下方から突入させる開口部２２ｃとを有し、光ディスクを搬送するディスクトレイ２２と、を備えた光ディスク装置において、ディスクトレイ２２の開口部２２ｃの前端に、トラバースシャーシが昇状態でガイドシャフト３１、３１の片端に近接するリブ２２ｄを設ける。【選択図】図２
2012243356.tif 000002
【特許請求の範囲】
【請求項１】
光ピックアップユニットと、該光ピックアップユニットを光ディスクの径方向に移動可能に支持するガイドシャフトとを搭載したトラバースシャーシと、
前記トラバースシャーシを昇降可能に支持するレバーアームと、
前記レバーアームとカム係合し、前記レバーアームの移動方向と略直交する方向に移動して前記レバーアームを上下動させるカムスライダーと、
小径光ディスク収容凹部と、前記光ピックアップユニットを下方から突入させる開口部とを有し、光ディスクを搬送するディスクトレイと、を備えた光ディスク装置において、
前記ディスクトレイの前記開口部の前端に、前記トラバースシャーシが昇状態で前記ガイドシャフトの片端に近接するリブを設けたことを特徴とする光ディスク装置。
【請求項２】
前記カムスライダーに、前記トラバースシャーシが降状態で前記ガイドシャフトの片端に近接する突起を設けたことを特徴とする請求項１記載の光ディスク装置。
【請求項３】
前記ディスクトレイが収容された状態で、前記リブと前記突起とが近接していることを特徴とする請求項２記載の光ディスク装置。
【発明の詳細な説明】
【技術分野】
【０００１】
本発明は、ＣＤ、ＤＶＤ、ＢＤ（Blu-ray Disc）等に対して記録／再生を行う光ディスク装置に関する。
【背景技術】
【０００２】
従来から光ディスク装置として、光ディスクを載置したディスクトレイを装置本体内に移動させ、装置本体内に設けたディスクホルダ（クランパー）とターンテーブルとの間に光ディスクをクランプし、光ディスクに対して記録又は再生を行うようにしたものが知られている。そして近年、この光ディスク装置のディスクローディング機構を改善したものが種々提案されている。
【０００３】
例えば特許文献１には、トレイの開口部に一部落ち込んだ小径光ディスクの落ち込み部分を当止する当止用リブを開口部の少なくとも片側縁に沿ってトレイの裏面側に形成した光ディスク装置とするか、小径光ディスクの落ち込み部分を当止しつつトレイの挿入に伴って相対的に小径光ディスクを押し戻す押し戻し用突起をカムスライダーの上面又はメインシャーシの前端部の上面に形成した光ディスク装置とするか、当止用リブと押し戻し用突起の双方を形成した光ディスク装置とすることが開示されている。
【０００４】
また特許文献２には、シャーシ板を切り起こして形成した端面当接片をガイドシャフトの端面に当接してガイドシャフトの軸方向の抜け止め手段を構成し、シャーシ板を切り起こして鉤型に形成したシャフト保持体により、その切り欠き部を貫通するガイドシャフトを保持し、シャーシ板の下面側からねじ孔に螺入されて上方に突出した調整ねじの端面をガイドシャフトに当接し、調整ねじにより、ガイドシャフトの装着口からの抜け止め及び高さ調整を行うガイドシャフト保持機構を備えた光ディスクドライブが開示されている。
【０００５】
また特許文献３には、金属板製シャーシの前部にターンテーブル付きスピンドルモーターが設けられるとともに、シャーシの中央孔内に光ピックアップが配置され、光ピックアップを移動可能に支持する左右一対のガイドシャフトの端部がシャーシ上の４つの支持部材に係合され、各ガイドシャフトの端部とシャーシとの間に捩じりコイルばねを係合させ、その各捩じりコイルばねに抗してシャーシのねじ孔に螺合させた高さ調整ねじの先端を各ガイドシャフトの端部に押しつけており、４つの支持部材が、シャーシをプレス成形する際に切り残した部分を引き起こして適宜折り曲げることにより、シャーシに一体形成されているディスク装置が開示されている。
【０００６】
また特許文献４には、ディスクトレイのディスク装填部の中央にディスクトレイに組み込んだホルダークランプ機構により保持されるディスクホルダーを備え、ディスクホルダーがアンローディング状態でホルダークランプ機構に保持されている状態を維持する一方、ローディング状態においてディスクホルダーのホルダークランプ機構による保持が解除されるようにしたディスク装置が開示されている。
【先行技術文献】
【特許文献】
【０００７】
【特許文献１】特開２００７−２３４１８６号公報
【特許文献２】特開２００７−６６４３０号公報
【特許文献３】特開２００５−３３２５３１号公報
【特許文献４】特開２００３−２２３７５５号公報
【発明の概要】
【発明が解決しようとする課題】
【０００８】
このように様々な改良がなされている中で、ディスクトレイの規定位置からずれて小径光ディスクが載置された場合、ディスクローディング時にディスクトレイの開口部から小径光ディスクが装置内に落ちるおそれがある。しかしながら、光ピックアップ装置周辺の機構との干渉を避けなければならないため、ディスクトレイの開口部を狭くすることは困難であった。
【０００９】
本発明は、装置内での干渉を回避しつつ、ガイドシャフトの抜けを防止し、ディスクトレイの開口部を狭くした光ディスク装置を提供することを目的とする。
【課題を解決するための手段】
【００１０】
上記目的を達成するために本発明は、光ピックアップユニットと、該光ピックアップユニットを光ディスクの径方向に移動可能に支持するガイドシャフトとを搭載したトラバースシャーシと、前記トラバースシャーシを昇降可能に支持するレバーアームと、前記レバーアームとカム係合し、前記レバーアームの移動方向と略直交する方向に移動して前記レバーアームを上下動させるカムスライダーと、小径光ディスク収容凹部と、前記光ピックアップユニットを下方から突入させる開口部とを有し、光ディスクを搬送するディスクトレイと、を備えた光ディスク装置において、前記ディスクトレイの前記開口部の前端に、前記トラバースシャーシが昇状態で前記ガイドシャフトの片端に近接するリブを設けたことを特徴とする。
【００１１】
この構成によると、リブがガイドシャフトの抜け止めの役割をし、トラバースシャーシが昇状態のときに外部衝撃が加わった場合、ガイドシャフトが前方に移動してもリブに当接し、抜け落ちることがない。
【００１２】
上記の光ディスク装置において、前記カムスライダーに、前記トラバースシャーシが降状態で前記ガイドシャフトの片端に近接する突起を設けることが望ましい。
【００１３】
この構成によると、突起がガイドシャフトの抜け止めの役割をし、トラバースシャーシが降状態のときに外部衝撃が加わった場合、ガイドシャフトが前方に移動しても突起に当接し、抜け落ちることがない。
【００１４】
また上記の光ディスク装置において、前記ディスクトレイが収容された状態で、前記リブと前記突起とが近接していることが望ましい。
【００１５】
この構成によると、外部衝撃が加わった場合、トラバースシャーシの位置によらず、ガイドシャフトの抜けを防止することができる。
【発明の効果】
【００１６】
本発明によると、ディスクトレイの開口部の前端に、トラバースシャーシが昇状態でガイドシャフトの片端に近接するリブを設けることにより、トラバースシャーシ前端の切り起こしを廃止し、装置内での干渉を回避しつつ、ガイドシャフトの前方への抜け止めとして機能し、そして、ディスクトレイの開口部が狭くなり小径光ディスクが装置内に落ちにくくなる。
【図面の簡単な説明】
【００１７】
【図１】本発明の一実施形態の光ディスク装置の構成を示すブロック図である。
【図２】本発明の一実施形態の光ディスク装置のドライブ装置の平面図である。
【図３】図２からディスクトレイを除いた図である。
【図４】図３のＡ−Ａ線断面図である。
【発明を実施するための形態】
【００１８】
以下に本発明の実施形態を、図面を参照しながら説明する。なお、ここで示す実施形態は一例であり、本発明はここに示す実施形態に限定されるものではない。
【００１９】
図１は、本実施形態の光ディスク装置の構成を示すブロック図である。光ディスク装置１は、光ディスク１５の情報の再生、及び光ディスク１５への情報の記録を行うことができる。２は、スピンドルモーターであり、光ディスク１５は、このスピンドルモーター２の上部に設けられるチャック部（ターンテーブル及びクランパー）に着脱可能に保持される。そして、光ディスク１５の情報の記録再生を行う際に、スピンドルモーター２は光ディスク１５を連続回転する。スピンドルモーター２の回転制御は、スピンドルモーター制御部３によって行われる。
【００２０】
４は、光ピックアップユニット（ＯＰＵ）であり、光源から出射される光ビームを光ディスク１５に照射し、光ディスク１５への情報の書き込みと、光ディスク１５に記録されている情報の読み取りを可能とする。
【００２１】
信号処理部８は、少なくともＲＦ信号処理部９とトラックエラー信号処理部１０とフォーカスエラー信号処理部１１とを含んでいる。そして、この信号処理部８において、光検出器（不図示）で変換された電気信号に基づいて、ＲＦ信号、トラックエラー信号（ＴＥ信号）、フォーカスエラー信号（ＦＥ信号）を生成する。ＲＦ信号はデータ復調部１２でデータに復調される。
【００２２】
ＴＥ信号及びＦＥ信号は、アクチュエータ制御部７に出力される。アクチュエータ制御部７は、これらの信号に基づいて、対物レンズ２１を移動可能とする図示しないアクチュエータに駆動信号を供給する。駆動信号が供給されたアクチュエータは、信号に基づいて各部を作動させて、対物レンズ２１を光軸と平行な方向に移動して、光ディスク１５の記録面１５ａにフォーカスを追従させるフォーカス制御や対物レンズ２１を光ディスク１５の半径方向と平行な方向に移動して光ビームのスポット位置を光ディスク１５に形成されるトラック位置に追従させるトラッキング制御を行う。
【００２３】
その他、レーザ制御手段５は、光ピックアップ４に備えられる半導体レーザから成る光源（不図示）のレーザ出力を制御する。また、全体制御部１３は、スピンドルモーター制御部３、レーザ制御部５、ビームエキスパンダ制御部６、アクチュエータ制御部７、信号処理部８、及びデータ復調部１２等を制御して、装置全体のコントロールを行う。
【００２４】
図２は、本実施形態の光ディスク装置１のドライブ装置の平面図、図３は、図２からディスクトレイを除いた図、図４は、図３のＡ−Ａ線断面図である。図２〜４では光ピックアップユニット関連の部材を省略している。
【００２５】
光ディスク装置１は外観を形成する装置本体の筐体内にドライブ装置２０を収容している。ドライブ装置２０は、ドライブ装置２０の各部材を収容するローダーシャーシ２１と、光ディスクを搬送するディスクトレイ２２と、ディスクトレイ２２の搬送方向（前後方向）に略垂直な方向（上下方向）に旋回して昇降可能なトラバースアッシー２３と、トラバースアッシー２３の下面の一部（本実施形態では下面の前端付近）を覆ってトラバースアッシー２３を支持するとともに上下動する平面視略Ｕ字型のレバーアーム２４と、レバーアーム２４の前部とカム係合し、左右方向（ディスクトレイ２２の搬送方向及びトラバースアッシー２３の昇降方向と略直交する方向）に移動してレバーアーム２４を上下動させるカムスライダー２５と、ディスクトレイ２２及びカムスライダー２５を複数のギヤを介して駆動するモーター（不図示）とを備えている。
【００２６】
トラバースアッシー２３は、各部材を載せるためのトラバースシャーシ３０と、光ピックアップユニット（ＯＰＵ）（不図示）と、ＯＰＵを光ディスクの径方向（前後方向）に移動可能に支持する２本のガイドシャフト３１、３１と、ＯＰＵ駆動用のステッピングモーター（不図示）と、トラバースシャーシ３０の上面の前寄り部分に設けられ、光ディスクを回転させるスピンドルモーター２と、スピンドルモーター２の上部に設けられたターンテーブル３２とを備えている。
【００２７】
トラバースアッシー２３は、トラバースシャーシ３０の前端２点で係止手段３３、３３によりレバーアーム２４に係止され、トラバースシャーシ３０の後端２点で係止手段３４、３４によりローダーシャーシ２１に係止されている。係止手段３３、３４は、ゴム製のＯリング及びビスである。
【００２８】
上記構成の光ディスク装置において、引き出された状態のディスクトレイ２２に光ディスクが載置されると、モーターの駆動によりディスクトレイ２２が光ディスク装置１内に搬送される。ディスクトレイ２２が所定位置に配されると、ディスクトレイ２２へのモーターの駆動力の伝達が解除されてディスクトレイ２２が停止し、モーターの駆動によりカムスライダー２５が移動し、トラバースアッシー２３を上昇させる。これにより、トラバースアッシー２３光ディスクに係合し、光ディスクがチャックされる。
【００２９】
光ディスクがチャックされると、カムスライダー２５へのモーターの駆動力伝達が解除されてカムスライダー２５及びトラバースアッシー２３が停止する。続いてステッピングモーターの駆動によりＯＰＵが所定位置に移動し、光ディスクに対して記録又は再生を行う。また、光ディスクを取り出す際には上記と逆の動作が行われる。
【００３０】
次に、本発明の特徴的な構成部分について詳しく説明する。ディスクトレイ２２には、１２ｃｍの光ディスクを載置する凹み形状である大径光ディスク収容凹部２２ａと、８ｃｍの光ディスクを載置する凹み形状である小径光ディスク収容凹部２２ｂとが同心状に形成されている。また、ディスクトレイ２２の中央付近には、ＯＰＵ及びターンテーブル３２を下方から突入させる略矩形状の開口部２２ｃが形成されている。したがって、開口部２２ｃはトラバースアッシー２３の昇降時にトラバースアッシー２３と干渉しない形状及び大きさにする必要がある。
【００３１】
また、ディスクトレイ２２の開口部２２ｃの前端に、トラバースシャーシ２０が昇状態でガイドシャフト３１、３１の片端（前端）に対向して近接するリブ２２ｄが形成されている。すなわち、リブ２２ｄはトラバースシャーシ２０に一体成形され、ディスクトレイ２２の開口部２２ｃの前端からトラバースシャーシ２０に干渉しない程度に下方に突出している。なお、リブ２２ｄは少なくともガイドシャフト３１、３１の前端に対向する位置に設ければよい。
【００３２】
リブ２２ｄとガイドシャフト３１、３１の前端とが近接するとは、干渉しない程度まで接近している状態をいう。このように近接していることにより、リブ２２ｄがガイドシャフト３１、３１の抜け止めの役割をし、トラバースシャーシ２０が昇状態のときに外部衝撃が加わった場合、ガイドシャフト３１、３１が前方に移動してもリブ２２ｄに当接し、抜け落ちることがない。一方、ガイドシャフト３１、３１の後端はトラバースシャーシ２０を切り起こして抜けを防止している。
【００３３】
従来は、ガイドシャフト３１、３１が前方に抜け落ちるのを防ぐために、後端と同じようにトラバースシャーシ２０を切り起こして抜け止めとしていた。したがって、この切り起こし部分にディスクトレイ２２の開口部２２ｃの前端が干渉しないように、開口部２２ｃの前端は切り起こし部分より前方まで広げられていた。
【００３４】
本実施形態ではこの前端の切り起こしをなくし、リブ２２ｄを設けているので、従来の切り起こし部分と開口部の前端との干渉がなくなるので、従来の切り起こしの厚み分だけ開口部２２ｃの前端を後退させている。その分、開口部２２ｃの面積が小さくなり、小径光ディスク収容凹部２２ｂの面積が大きくなる。
【００３５】
したがって、ディスクトレイ２２の規定位置（小径光ディスク収容凹部２２ｂ）からずれて小径光ディスクが載置された場合でも、ディスクローディング時にディスクトレイ２２の開口部２２ｃから小径光ディスクが装置内に落ちにくくなる。なお、トラバースシャーシ２０の強度を確保する観点からは、トラバースシャーシ２０の前端を下方に折り曲げてもよい。
【００３６】
このように、ディスクトレイ２２にリブ２２ｄを設けることで、トラバースシャーシ２０前端の切り起こしに代えてガイドシャフト３１、３１の前方への抜け止めとして機能し、さらに、開口部２２ｃが狭くなり小径光ディスクが装置内に落ちにくくなる。
【００３７】
また、トラバースシャーシ２０が降状態のときにガイドシャフト３１、３１が抜け落ちるのを防止するために、カムスライダー２５にトラバースシャーシ２０が降状態でガイドシャフト３１、３１の片端（前端）に対向して近接する突起２５ａ、２５ａが設けられている。
【００３８】
突起２５ａは、カムスライダー２５の後面からガイドシャフト３１の前端に向けて突出する丸又は角型の棒状部材であり、カムスライダー２５に一体成形されており、ガイドシャフト３１の移動によりトラバースシャーシ２０と干渉しないようになっている。
【００３９】
突起２５ａ、２５ａとガイドシャフト３１、３１の前端とが近接するとは、干渉しない程度まで接近している状態をいう。このように近接していることにより、突起２５ａ、２５ａがガイドシャフト３１、３１の抜け止めの役割をし、トラバースシャーシ２０が降状態のときに外部衝撃が加わった場合、ガイドシャフト３１、３１が前方に移動しても突起２５ａ、２５ａに当接し、抜け落ちることがない。
【００４０】
また、ディスクトレイ２２が収容された状態では、リブ２２ｄと突起２５ａとが近接している。リブ２２ｄと突起２５ａとが近接するとは、干渉しない程度まで接近している状態をいう。これにより、トラバースシャーシ２０が昇状態又は降状態の何れの状態においてもガイドシャフト３１、３１は常にリブ２２ｄ又は突起２５ａの何れかで抜けを防止されている状態となる。
【００４１】
よって、外部衝撃が加わった場合、トラバースシャーシ２０の位置によらず、ガイドシャフト３１、３１の抜けを防止することができる。
【産業上の利用可能性】
【００４２】
本発明は、ＣＤ、ＤＶＤ、ＢＤ等に対して記録／再生を行う光ディスク装置に利用でき、例えば、ＢＤ・ＤＶＤプレーヤ、ＢＤ・ＤＶＤレコーダ、テレビ一体型ＢＤ・ＤＶＤレコーダ、ＢＤ・ＤＶＤ記録再生装置搭載のパーソナルコンピュータなどが挙げられる。
【符号の説明】
【００４３】
１  光ディスク装置
１５  光ディスク
２０  トラバースシャーシ
２２  ディスクトレイ
２２ｂ  小径光ディスク収容凹部
２２ｃ  開口部
２２ｄ  リブ
２４  レバーアーム
２５  カムスライダー
２５ａ  突起
３１  ガイドシャフト
【図１】
2012243356.tif 000003
【図２】
2012243356.tif 000004
【図３】
2012243356.tif 000005
【図４】
2012243356.tif 000006